(57)【要約】      （修正有）【課題】足の指先などの異物がペダルケースとペダル本体との間の隙間に挿入するのを確実に防ぐことができるペダル装置を提供する。【解決手段】ペダルケース１内から外部にペダル本体２の先端部２ａが突出した状態で、ペダルケース１内にペダル本体２の後端部が上下方向に回転可能に取り付けられたペダル装置において、ペダルケース１内から外部に向けてペダル本体２が突出する箇所で、且つペダルケース１とペダル本体２との間に生じる隙間に対応する箇所に、ペダル本体１の踏み込み操作時における異物の挿入を防ぐための異物挿入防止部１７を設けた。従って、ペダル本体２の先端部２ａを足踏み操作する際に、ペダルケース１とペダル本体２との間に隙間が生じても、異物挿入防止部１７によって足の指先などの異物がペダルケース１とペダル本体２との間に生じた隙間に挿入するのを確実に防ぐことができる。【選択図】図１
2013011964.tif 000002
【特許請求の範囲】
【請求項１】
ペダルケース内から外部にペダル本体の一端部が突出した状態で、前記ペダルケース内に前記ペダル本体の他端部が上下方向に回転可能に取り付けられたペダル装置において、
前記ペダルケース内から外部に向けて前記ペダル本体が突出する箇所で、且つ前記ペダル本体の踏み込み操作時に前記ペダルケースと前記ペダル本体との間に生じる隙間に対応する箇所に、前記ペダル本体の踏み込み操作時における異物の挿入を防ぐための異物挿入防止部を設けたことを特徴とするペダル装置。
【請求項２】
請求項１に記載のペダル装置において、前記異物挿入防止部は、前記ペダルケースと前記ペダル本体との間に位置する前記ペダルケースの箇所に対応して設けられ、前記ペダル本体に設けられた挿入孔に前記ペダル本体の上下動作に応じて相対的に移動可能に挿入していることを特徴とするペダル装置。
【請求項３】
請求項２に記載のペダル装置において、前記異物挿入防止部は、前記ペダルケースに設けられて前記ペダル本体の上限位置を規制するための位置規制部に取り付けられていることを特徴とするペダル装置。
【請求項４】
請求項１に記載のペダル装置において、前記異物挿入防止部は、前記ペダルケースと前記ペダル本体との間に対応する前記ペダルケースの外部に位置する箇所の前記ペダル本体上に起立した状態で設けられていることを特徴とするペダル装置。
【請求項５】
請求項１に記載のペダル装置において、前記異物挿入防止部は、
前記ペダルケースと前記ペダル本体との間に位置する前記ペダルケースの箇所に対応して設けられ、前記ペダル本体に設けられた挿入孔に前記ペダル本体の上下動作に応じて相対的に移動可能に挿入している第１異物挿入防止部と、
前記ペダルケースと前記ペダル本体との間に対応する前記ペダルケースの外部に位置する箇所の前記ペダル本体上に起立した状態で設けられた第２異物挿入防止部と
を備えていることを特徴とするペダル装置。
【発明の詳細な説明】
【技術分野】
【０００１】
この発明は、足踏み操作に応じて動作する足鍵盤などのペダル装置に関する。
【背景技術】
【０００２】
例えば、足鍵盤などのペダル装置においては、特許文献１に記載されているように、ペダル本体の一端部である後端部がペダルケース内に上下方向に回転可能に取り付けられ、このペダル本体の他端部である先端部がペダルケース内から外部に突出して露出し、この露出したペダル本体の先端部を足踏み操作することにより、ペダル本体が上下方向に回転するように構成されたものが知られている。
【先行技術文献】
【特許文献】
【０００３】
【特許文献１】特開平０９−３１１６８２号公報
【発明の概要】
【発明が解決しようとする課題】
【０００４】
しかしながら、このようなペダル装置では、ペダルケース内から外部に向けてペダル本体が突出する箇所におけるペダルケースとペダル本体との間に、ペダル本体の踏み込み操作時に隙間が生じるため、ペダル本体の先端部を足踏み操作する際に、足の指先がペダルケースとペダル本体との間の隙間に挿入し、この挿入した足の指先がペダルケースとペダル本体との間に挟まれて怪我をする恐れがある。
【０００５】
この発明が解決しようとする課題は、足の指先などの異物がペダルケースとペダル本体との間の隙間に挿入するのを確実に防ぐことができるペダル装置を提供することである。
【課題を解決するための手段】
【０００６】
この発明は、ペダルケース内から外部にペダル本体の一端部が突出した状態で、前記ペダルケース内に前記ペダル本体の他端部が上下方向に回転可能に取り付けられたペダル装置において、前記ペダルケース内から外部に向けて前記ペダル本体が突出する箇所で、且つ前記ペダル本体の踏み込み操作時に前記ペダルケースと前記ペダル本体との間に生じる隙間に対応する箇所に、前記ペダル本体の踏み込み操作時における異物の挿入を防ぐための異物挿入防止部を設けたことを特徴とするペダル装置である。
【発明の効果】
【０００７】
この発明によれば、ペダルケース内から外部に突出したペダル本体の一端部を足踏み操作する際に、ペダルケース内から外部に向けてペダル本体が突出する箇所におけるペダルケースとペダル本体との間に隙間が生じても、異物挿入防止部によって足の指先などの異物がペダルケースとペダル本体との間に生じた隙間に挿入するのを確実に防ぐことができる。このため、足の指先がペダルケースとペダル本体との間に挟まれて怪我をする恐れがなく、安全性の高いものを提供することができる。
【図面の簡単な説明】
【０００８】
【図１】この発明を適用したペダル装置の実施形態１において、一部を破断して示した要部の斜視図である。
【図２】図１に示されたペダル装置のＡ−Ａ矢視における拡大断面図である。
【図３】図２に示されたペダル装置におけるペダルケースを示した拡大断面図である。
【図４】図１に示されたペダル装置のペダル本体を示し、（ａ）はそのペダル本体の拡大平面図、（ｂ）はそのペダル本体のＢ−Ｂ矢視における拡大断面図である。
【図５】図１に示されたペダル装置において、位置規制部および異物挿入防止部を示した拡大斜視図である。
【図６】図２に示されたペダル装置において、ペダル本体を踏み込んだ状態を示した拡大断面図である。
【図７】図１に示されたペダル装置の実施形態１における異物挿入防止部の第１変形例を示した要部の斜視図である。
【図８】図７に示されたペダル装置のＣ−Ｃ矢視における拡大断面図である。
【図９】図１に示されたペダル装置の実施形態１における異物挿入防止部の第２変形例を示した要部の斜視図である。
【図１０】図９に示されたペダル装置のＤ−Ｄ矢視における拡大断面図である。
【図１１】この発明を適用したペダル装置の実施形態２において、一部を破断して示した要部の斜視図である。
【図１２】図１１に示されたペダル装置のＥ−Ｅ矢視における拡大断面図である。
【図１３】図１１に示されたペダル装置のペダル本体を示し、（ａ）はそのペダル本体の拡大平面図、（ｂ）はそのペダル本体のＦ−Ｆ矢視における拡大断面図である。
【図１４】図１２に示されたペダル装置において、ペダル本体を踏み込んだ状態を示した拡大断面図である。
【図１５】図１１に示されたペダル装置の実施形態２における異物挿入防止部の第３変形例を示し、（ａ）はそのペダル本体の拡大平面図、（ｂ）はそのペダル本体のＧ−Ｇ矢視における拡大断面図である。
【図１６】この発明を適用したペダル装置の実施形態３において、一部を破断して示した要部の斜視図である。
【図１７】図１６に示されたペダル装置のＨ−Ｈ矢視における拡大断面図である。
【図１８】図１７に示されたペダル装置において、ペダル本体を踏み込んだ状態を示した拡大断面図である。
【発明を実施するための形態】
【０００９】
（実施形態１）
以下、図１〜図６を参照して、この発明を適用したペダル装置の実施形態１について説明する。
このペダル装置は、図１および図２に示すように、ペダルケース１とペダル本体２とを備え、ペダル本体２の先端部２ａ（図２では左端部）がペダルケース１内から外部に突出して露出した状態で、ペダルケース１内にペダル本体２の後端部２ｂ（図２では右端部）が上下方向に回転可能に取り付けられた構成になっている。
【００１０】
ペダルケース１は、図２および図３に示すように、ペダルシャーシ３とカバーケース４とを備えている。ペダルシャーシ３は、シャーシ本体部５と、このシャーシ本体部５から前側（図２では左側）に延出された延出部６と、この延出部６の先端部（図２では左端部）上に設けられた下限ストッパ部７とを有し、これらが一体に形成されている。シャーシ本体部５の後部（図２では右側部）上には、図２および図３に示すように、ペダル本体２の後端部２ｂを上下方向に回転可能に支持するためのペダル支持部８が設けられている。
【００１１】
また、このシャーシ本体部５の上面におけるほぼ中央部には、図２および図３に示すように、スイッチ部１０が設けられている。このスイッチ部１０は、スイッチ基板１０ａ上に弾性変形可能なドーム状のゴム膨出部１０ｂが設けられ、このゴム膨出部１０ｂ内に可動接点（図示せず）が設けられ、この可動接点がスイッチ基板１０ａ上に設けられた固定接点（図示せず）に接離可能に接触するように構成されている。さらに、このシャーシ本体部５の上面における前部（図２では左側部）には、ペダル本体２を上方に押し上げるためのコイルばねなどのばね部材１１が設けられている。
【００１２】
一方、カバーケース４は、図２および図３に示すように、ペダルシャーシ３のシャーシ本体部５を覆うように、シャーシ本体部５上に取付金具１２によって取り付けられている。このカバーケース４は、下部が開放されてペダル本体２の長手方向（図２では左右方向）と直交する方向（図２では紙面の表裏方向）に細長い箱状に形成されている。また、このカバーケース４は、図３に示すように、その後部（図３では右側部）の内面に取付金具１２が取り付けられ、この取付金具１２がシャーシ本体部５の後部に取り付けられていることにより、シャーシ本体部５上に取り付けている。
【００１３】
さらに、このカバーケース４の前面部（図３では左側面部）には、図１〜図３に示すように、ペダル本体２の中間部分が挿入する開口部１３が設けられている。この開口部１３は、カバーケース４の下端部に開放された切欠き部であり、カバーケース４の長手方向（図２では紙面の表裏面方向）の長さが、ペダル本体２の長手方向と直交する方向の長さ（幅）よりも少し大きく形成され、その高さがペダル本体２の上下方向における移動長さよりも少し高く形成されている。
【００１４】
また、この開口部１３に対応するカバーケース４内には、図２および図３に示すように、ペダル本体２の上限位置を規制するための位置規制部１４が配置されている。この位置規制部１４は、図１および図５に示すように、金属板を折り曲げたものであり、シャーシ本体部５上に取り付けられる一対の固定部１４ａと、この一対の固定部１４ａから立ち上がる一対の立上り部１４ｂと、この一対の立上り部１４ｂの上部に架け渡された上板部１４ｃとからなり、カバーケース４の開口部１３に対応するように折り曲げられた構成になっている。
【００１５】
すなわち、この位置規制部１４は、図１〜図３および図５に示すように、一対の立上り部１４ｂがカバーケース４の開口部１３の両側に位置し、上板部１４ｃが開口部１３の上部に位置した状態で、一対の固定部１４ａがシャーシ本体部５の上面に取り付けられるように構成されている。
【００１６】
これにより、位置規制部１４は、図１〜図３および図５に示すように、シャーシ本体部５上に配置されたばね部材１１、およびカバーケース４の開口部１３に位置する箇所のペダル本体２を跨いだ状態で、ペダルケース１内に配置されるように構成されている。この位置規制部１４における上板部１４ｃの下面には、ペダル本体２の上面が接離可能に当接するフェルトやゴムなどの上限ストッパ部１５が、ばね部材１１に対応して設けられている。
【００１７】
一方、ペダル本体２は、図１、図２および図４に示すように、先端部２ａ側（図４（ａ）では左側）の幅（つまり、ペダル本体２の長手方向と直交する方向の長さ）が広く、後端部２ｂ側（図４（ａ）では右側）の幅（ペダル本体２の長手方向と直交する方向の長さ）が狭いほぼ杓子形状をなし、その周縁部に下り壁２ｃが形成された構成になっている。
【００１８】
この場合、ペダル本体２の後端部２ｂは、図４（ａ）および図４（ｂ）に示すように、下り壁２ｃが後方（図４（ａ）では右側）に突出して形成されている。このペダル本体２は、図２に示すように、その中間部分がカバーケース４の開口部１３を通してカバーケース４内に挿入され、この挿入された後端部２ｂが、シャーシ本体部５上のペダル支持部８に回転軸１６によって上下方向に回転可能に取り付けられた構成になっている。
【００１９】
また、このペダル本体２は、図２に示すように、カバーケース４の開口部１３を通してカバーケース４内に挿入された部分が、シャーシ本体部５上のばね部材１１によって押し上げられて位置規制部１４の上限ストッパ部１５に下側から当接することにより、上限位置が規制されるように構成されている。
【００２０】
また、このペダル本体２は、図６に示すように、カバーケース４の開口部１３を通してカバーケース４の外部に突出した先端部２ａが、ばね部材１１のばね力に抗して押し下げられると、シャーシ本体部５上に設けられたペダル支持部８の回転軸１６を中心に反時計回りに回転するように構成されている。
【００２１】
この場合、ペダル支持部８の前側（図２では左側）に位置する箇所のペダル本体２の下面には、図２および図６に示すように、スイッチ部１０のドーム状のゴム膨出部１０ｂを押圧するためのスイッチ押圧部９が設けられている。これにより、ペダル本体２は、図６に示すように、ペダル支持部８の回転軸１６を中心に反時計回りに回転すると、ペダル本体２のスイッチ押圧部９がスイッチ部１０のドーム状のゴム膨出部１０ｂを押し下げて弾性変形させ、この弾性変形したゴム膨出部１０ｂ内の可動接点をスイッチ基板１０ａの固定接点に接触させてスイッチ信号を出力させるように構成されている。
【００２２】
また、このペダル本体２は、図６に示すように、ペダル支持部８の回転軸１６を中心に反時計回りに回転し、スイッチ部１０のドーム状のゴム膨出部１０ｂを押し下げて弾性変形させた後に、シャーシ本体部５から前側（図４では左側）に延出された延出部６の先端部（図２では左端部）上に設けられた下限ストッパ部７に上方から当接して下限位置が規制されるように構成されている。
【００２３】
ところで、このペダル本体２がペダルケース１内から外部に向けて突出するカバーケース４の開口部１３には、図６に示すように、ペダル本体２の踏み込み操作に応じて、隙間Ｓが生じる。この隙間Ｓには、図１、図２、および図６に示すように、カバーケース４の開口部１３の上部とペダル本体２との上面との間に異物が挿入するのを防ぐための異物挿入防止部１７が配置されている。
【００２４】
この異物挿入防止部１７は、図１、図３、および図５に示すように、帯状板を折り曲げたものであり、平板状の取付部１７ａと、この平板状の取付部１７ａの先端部を下側に向けて折り曲げられた平板状の挿入防止部１７ｂとを備えている。この異物挿入防止部１７は、その平板状の取付部１７ａがペダルケース１の位置規制部１４に対して取り付けられ、下側に向けて折り曲げられた平板状の挿入防止部１７ｂがカバーケース４の開口部１３に対応する箇所のペダル本体２にその長手方向と直交する方向に細長い形状で設けられたスリット状の挿入孔１８ａに挿入するように構成されている。
【００２５】
すなわち、この異物挿入防止部１７は、図２および図６に示すように、平板状の取付部１７ａがペダルケース１のシャーシ本体部５上に設けられた位置規制部１４の上板部１４ｃに取り付けられ、平板状の挿入防止部１７ｂがカバーケース４の開口部１３内における上部から垂下され、この垂下された挿入防止部１７ｂの下部がペダル本体２のスリット状の挿入孔１８ａ内に上下方向に移動可能に挿入し、この状態を維持しながらペダル本体２の上下動作に応じて挿入防止部１７ｂが挿入孔１８ａ内を相対的に上下方向に移動するように構成されている。
【００２６】
次に、このような実施形態１のペダル装置の作用について説明する。
まず、ペダル本体２が踏み込み操作されていない通常の状態では、図２に示すように、ペダル本体２がばね部材１１のばね力によって押し上げられていることにより、ペダル本体２がシャーシ本体部５のペダル支持部８の回転軸１６を中心に時計回りに回転し、このペダル本体２の上面が、シャーシ本体部５上に設けられた位置規制部１４の上限ストッパ部１５に下側から当接して、ペダル本体２が上限位置に規制されている。
【００２７】
この状態では、図２に示すように、ペダル本体２がほぼ水平な状態になり、ペダル本体２の先端部２ａがペダルケース１の延出部６の先端部に設けられた下限ストッパ部７の上方に離れている。このときには、カバーケース４の開口部１３の上部とペダル本体２との上面との間の隙間Ｓが最も狭くなっている。このため、異物挿入防止部１７は、その平板状の挿入防止部１７ｂがペダル本体２のスリット状の挿入孔１８ａ内に最も深く挿入している。
【００２８】
また、このときには、図２に示すように、カバーケース４内に位置するペダル本体２のスイッチ押圧部９がスイッチ部１０の上方に離れている。このため、スイッチ部１０は、そのドーム状のゴム膨出部１０ｂが弾性復帰し、このゴム膨出部１０ｂ内の可動接点がスイッチ基板１０ａの固定接点から離れ、オフ状態になっている。
【００２９】
このような状態で、カバーケース４の外部に位置するペダル本体２の先端部２ａがばね部材１１のばね力に抗して踏み込まれると、図６に示すように、ペダル本体２がシャーシ本体部５のペダル支持部８の回転軸１６を中心に反時計回りに回転する。すると、ペダル本体２の先端部２ａが下がり、これに伴ってカバーケース４の開口部１３の上部とペダル本体２との上面との間に生じる隙間Ｓが徐々に広くなる。このため、異物挿入防止部１７は、その平板状の挿入防止部１７ｂがペダル本体２のスリット状の挿入孔１８ａ内を上方に向けて相対的に移動する。
【００３０】
そして、ペダル本体２の先端部２ａが更に踏み込まれて、ペダル本体２がシャーシ本体部５のペダル支持部８の回転軸１６を中心に反時計回りに更に回転すると、図６に示すように、カバーケース４内に位置するペダル本体２のスイッチ押圧部９がスイッチ部１０を押圧し、このスイッチ部１０におけるドーム状のゴム膨出部１０ｂを弾性変形させる。これにより、スイッチ部１０は、ゴム膨出部１０ｂ内の可動接点がスイッチ基板１０ａの固定接点に接触し、スイッチ信号を出力する。
【００３１】
この後、更にペダル本体２の先端部２ａが踏み込まれると、図６に示すように、ペダル本体２の先端部２ａがペダルケース１の延出部６の先端部に設けられた下限ストッパ部７に上側から当接して下限位置が規制される。この状態では、カバーケース４の開口部１３の上部とペダル本体２との上面との間に生じる隙間Ｓが最も広くなる。
【００３２】
このため、異物挿入防止部１７は、図６に示すように、その平板状の挿入防止部１７ｂがペダル本体２のスリット状の挿入孔１８ａ内を更に上方に向けて相対的に移動する。しかし、このときには、図６に示すように、平板状の挿入防止部１７ｂがペダル本体２のスリット状の挿入孔１８ａ内から上方に抜け出すことはない。
【００３３】
この状態のときには、ペダル本体２の先端部２ａを踏み込んでいる足が、カバーケース４の開口部１３の上部とペダル本体２との上面との間の隙間Ｓに向けて移動しても、その足の指先が異物挿入防止部１７の挿入防止部１７ｂに当接する。これにより、カバーケース４の開口部１３の上部とペダル本体２との上面との間に生じた隙間Ｓに足の指先が挿入するのを防ぐことができる。このため、ペダル本体２がばね部材１１のばね力によって押し上げられて初期位置に戻る際に、踏み込んでいる足の指先がカバーケース４の開口部１３の上部とペダル本体２との上面との間に生じた隙間Ｓに挟まれることがない。
【００３４】
このように、この実施形態１のペダル装置によれば、ペダルケース１内から外部にペダル本体２の先端部２ａが突出した状態で、ペダルケース１内にペダル本体２の後端部２ｂが上下方向に回転可能に取り付けられたペダル装置において、ペダルケース１内から外部に向けてペダル本体２が突出する箇所で、且つ、ペダル本体２の踏み込み操作時にペダルケース１とペダル本体２との間に生じる隙間Ｓに対応する箇所に、異物の挿入を防ぐための異物挿入防止部１７が設けられていることにより、足の指先などの異物がペダルケース１とペダル本体２との間に生じた隙間Ｓに挿入するのを確実に防ぐことができる。
【００３５】
すなわち、この実施形態１のペダル装置では、ペダル本体２の先端部２ａを足踏み操作する際に、ペダルケース１内から外部に向けてペダル本体２が突出する箇所で、ペダルケース１とペダル本体２との間に隙間Ｓが生じても、異物挿入防止部１７によって足の指先などの異物がペダルケース１とペダル本体２との間に生じた隙間Ｓに挿入するのを確実に防ぐことができる。これにより、足の指先をペダルケース１とペダル本体２との間の隙間Ｓに挟んで怪我をする恐れがなく、安全性の高いものを提供することができる。
【００３６】
この場合、異物挿入防止部１７は、ペダルケース１とペダル本体２との間に位置するペダルケース１の箇所に設けられ、ペダル本体２に設けられた挿入孔１８ａにペダル本体２の上下動作に応じて相対的に移動可能に挿入する構成であるから、ペダル本体２が踏み込まれていない状態のときに、ペダル本体２が上限位置に規制されて、ペダルケース１とペダル本体２との間に生じる隙間Ｓが最も狭くなり、異物挿入防止部１７がペダル本体２の挿入孔１８ａ内に最も深く挿入するので、異物挿入防止部１７をペダルケース１の外部から見えないように隠すことができ、これにより外観的にもデザイン的にも好ましいものを提供することができる。
【００３７】
また、この異物挿入防止部１７は、ペダル本体２が踏み込まれたときに、ペダルケース１とペダル本体２との間に生じる隙間Ｓが広くなるが、ペダル本体２の踏み込み動作に応じて平板状の異物挿入防止部１７がペダル本体２のスリット状の挿入孔１８ａ内から相対的に上側に抜け出すことなく移動して、ペダルケース１とペダル本体２との間に生じる隙間Ｓに、これを塞ぐように配置されるので、この異物挿入防止部１７によって足の指先などの異物がペダルケース１とペダル本体２との間に生じた隙間Ｓに挿入するのを確実に防ぐことができる。
【００３８】
この場合、異物挿入防止部１７は、ペダルケース１に設けられてペダル本体２の上限位置を規制するための位置規制部１４に設けられていることにより、位置規制部１４をペダルケース１に取り付ける際に、これと同時に異物挿入防止部１７をペダルケース１とペダル本体２との間に生じる隙間Ｓに配置することができる。このため、組立て時における部品点数の削減を図ることができると共に、組立て作業の向上をも図ることができる。
【００３９】
なお、上述した実施形態１では、異物挿入防止部１７が平板状の取付部１７ａと、この平板状の取付部１７ａの先端部を下側に向けて折り曲げられた平板状の挿入防止部１７ｂとを備えた構成である場合について述べたが、これに限らず、例えば図７および図８に示す第１変形例のように、異物挿入防止部２０は丸棒などの棒状部材を折り曲げた構成であっても良い。
【００４０】
すなわち、この第１変形例の異物挿入防止部２０は、図７および図８に示すように、位置規制部１４に取り付けられる棒状の取付部２０ａと、この取付部２０ａの先端部を下側に向けて折り曲げられた棒状の挿入防止部２０ｂとを備え、この挿入防止部２０ｂがペダル本体２にその長手方向に沿って少し長い楕円形状の挿入孔１８ｂ内に上下方向に移動可能に挿入するように構成すれば良い。このように構成しても、実施形態１と同様の作用効果がある。
【００４１】
また、上述した実施形態１では、異物挿入防止部１７がペダル本体２の上限位置を規制する位置規制部１４に設けられている場合について述べたが、これに限らず、例えば図９および図１０に示す第２変形例のように、異物挿入防止部２１をペダルケース１とペダル本体２との間に生じる隙間Ｓに対応する箇所のペダルケース１に直接、取り付けた構成であっても良い。
【００４２】
すなわち、この第２変形例の異物挿入防止部２１は、図９および図１０に示すように、平板状に形成されたものであり、ペダルケース１のカバーケース４に設けられた開口部１３の内面における上部に垂下された状態で設けられ、且つペダル本体２にその長手方向と直交する方向に沿って細長い形状に形成されたスリット状の挿入孔１８ａ内に、上下方向に移動可能に挿入するように構成すれば良い。このように構成しても、実施形態１と同様の作用効果がある。
【００４３】
（実施形態２）
次に、図１１〜図１４を参照して、この発明を適用したペダル装置の実施形態２について説明する。なお、図１〜図６に示された実施形態１と同一部分には同一符号を付して説明する。
このペダル装置は、図１１および図１２に示すように、異物挿入防止部２５をペダル本体２に設けた構成であり、これ以外は実施形態１とほぼ同じ構成になっている。
【００４４】
すなわち、この異物挿入防止部２５は、図１１〜図１３に示すように、ペダルケース１のカバーケース４に設けられた開口部１３にほぼ対応する大きさの平板状に形成され、ペダル本体２の上面におけるカバーケース４の開口部１３の前側外部（図１２では左側）に位置する箇所に、起立した状態でビス２６によって取り付けられている。
【００４５】
これにより、異物挿入防止部２５は、図１１および図１２に示すように、ペダル本体２が踏み込まれていない通常の状態のときに、ペダル本体２が位置規制部１４の上限ストッパ部１５に当接していることにより、カバーケース４の開口部１３の前側外部に位置して、その開口部１３の上側に突出した状態で配置されるように構成されている。
【００４６】
また、この異物挿入防止部２５は、図１４に示すように、ペダル本体２が踏み込まれてペダル本体２が下限ストッパ部７に当接した際に、カバーケース４の開口部１３の上部とペダル本体２との上面との間に生じる隙間Ｓが広くなっても、この隙間Ｓの前側外部に位置して、その隙間Ｓを覆って塞ぐように構成されている。
【００４７】
このような実施形態２のペダル装置においても、実施形態１と同様、ペダルケース１内から外部に向けてペダル本体２が突出する箇所で、且つペダル本体２の踏み込み操作時にペダルケース１とペダル本体２との間に生じる隙間Ｓに対応する箇所のペダル本体２上に、異物の挿入を防ぐ異物挿入防止部２５が起立して設けられていることにより、足の指先などの異物がペダルケース１とペダル本体２との間に生じた隙間Ｓに挿入するのを確実に防ぐことができる。
【００４８】
すなわち、この実施形態２のペダル装置では、ペダル本体２の先端部２ａを足踏み操作する際に、ペダルケース１内から外部に向けてペダル本体２が突出する箇所で、ペダルケース１とペダル本体２との間に隙間Ｓが生じても、異物挿入防止部２５によって足の指先などの異物がペダルケース１とペダル本体２との間に生じた隙間Ｓに挿入するのを確実に防ぐことができる。これにより、足の指先をペダルケース１とペダル本体２との間の隙間Ｓに挟んで怪我をする恐れがなく、安全性の高いものを提供することができる。
【００４９】
この場合、異物挿入防止部２５は、ペダル本体２上に起立した状態でビス２６によって取り付けられているので、ペダルケース１にペダル本体２を組み付ける際に、これと同時に簡単に異物挿入防止部２５をペダルケース１とペダル本体２との間に生じる隙間Ｓに対応させて配置することができる。
【００５０】
また、この異物挿入防止部２５は、ペダルケース１のカバーケース４に設けられた開口部１３にほぼ対応する大きさの平板状に形成され、ペダル本体２の上面におけるカバーケース４の開口部１３の前側外部に位置する箇所に、起立した状態でビス２６によって取り付けられているので、ペダルケース１とペダル本体２との間に生じる隙間Ｓを確実に且つ良好に塞ぐことができる。
【００５１】
すなわち、このペダル装置では、図１２に示すように、ペダル本体２が踏み込まれていない通常の状態のときに、ペダル本体２が位置規制部１４の上限ストッパ部１５に当接し、異物挿入防止部２５がカバーケース４の開口部１３の前側外部に位置して、その開口部１３の上側に突出した状態で配置されるので、ペダルケース１とペダル本体２との間に生じる隙間Ｓを確実に且つ良好に塞ぐことができる。
【００５２】
また、このペダル装置では、図１４に示すように、ペダル本体２が踏み込まれてペダル本体２が下限ストッパ部７に当接した際に、カバーケース４の開口部１３の上部とペダル本体２との上面との間に生じる隙間Ｓが広くなっても、この隙間Ｓの前側外部に異物挿入防止部２５が位置しているので、ペダルケース１とペダル本体２との間に生じる隙間Ｓを異物挿入防止部２５によって確実に且つ良好に覆って塞ぐことができ、これにより足の指先などの異物がペダルケース１とペダル本体２との間に生じた隙間Ｓに挿入するのを確実に防ぐことができる。
【００５３】
なお、上述した実施形態２では、平板状の異物挿入防止部２５をペダル本体２と別に製作してペダル本体２上に取り付けた構成である場合について述べたが、これに限らず、例えば図１５（ａ）および図１５（ｂ）に示す第３変形例のように、ペダル本体２の上面の一部を切り起こすことにより、異物挿入防止部２７をペダル本体２に一体に形成した構成であっても良い。
【００５４】
このように構成すれば、異物挿入防止部２７をペダル本体２に簡単に設けることができるばかりか、上述した実施形態２の異物挿入防止部２５に比べて、部品点数を削減することができ、これにより組立て作業の簡素化を図ることができると共に、低コスト化をも図ることができる。
【００５５】
（実施形態３）
次に、図１６〜図１８を参照して、この発明を適用したペダル装置の実施形態３について説明する。この場合には、図１〜図６に示された実施形態１、および図１１〜図１４に示された実施形態２と同一部分に同一符号を付して説明する。
このペダル装置は、図１６および図１７に示すように、異物挿入防止部として、第１、第２の各異物挿入防止部３１、３２を備えた構成であり、これ以外は実施形態１、２とほぼ同じ構成になっている。
【００５６】
すなわち、第１異物挿入防止部３１は、実施形態１と同様、ペダルケース１とペダル本体２との間に位置するペダルケース１の箇所に設けられ、ペダル本体２に設けられたスリット状の挿入孔１８ａにペダル本体２の上下動作に応じて相対的に移動可能に挿入するように構成されている。この第１異物挿入防止部３１は、図１６〜図１８に示すように、平板儒の取付部３１ａと、この平板状の取付部３１ａの先端部を下側に向けて折り曲げられた平板状の挿入防止部３１ｂとを備えている。
【００５７】
この場合、第１異物挿入防止部３１は、図１７に示すように、平板状の取付部３１ａがペダルケース１のシャーシ本体部５上に設けられた位置規制部１４の上板部１４ｃに取り付けられ、平板状の挿入防止部１７ｂがカバーケース４の開口部１３内における上部から垂下され、この垂下された挿入防止部３１ｂの下部がペダル本体２のスリット状の挿入孔１８ａ内に上下方向に移動可能に挿入し、この状態でペダル本体２の上下動作に応じて平板状の挿入防止部３１ｂがスリット状の挿入孔１８ａ内を相対的に上下方向に移動するように構成されている。
【００５８】
また、第２異物挿入防止部３２は、実施形態２と同様、ペダル本体２上に起立した状態で設けられた構成になっている。すなわち、この第２異物挿入防止部３２は、図１６〜図１８に示すように、ペダルケース１のカバーケース４に設けられた開口部１３にほぼ対応する大きさの平板状に形成され、カバーケース４の開口部１３の前側外部（図１７では左側）に位置する箇所のペダル本体２の上面に、起立した状態でビス２６によって取り付けられている。
【００５９】
これにより、第２異物挿入防止部２５は、図１６および図１７に示すように、ペダル本体２が踏み込まれていない通常の状態のときに、ペダル本体２が位置規制部１４の上限ストッパ部１５に当接していることにより、カバーケース４の開口部１３の前側外部に位置して、その開口部１３の上側に突出した状態で配置されるように構成されている。
【００６０】
また、この第２異物挿入防止部２５は、図１８に示すように、ペダル本体２が踏み込まれてペダル本体２が下限ストッパ部７に当接した際に、カバーケース４の開口部１３の上部とペダル本体２との上面との間に生じる隙間Ｓが広くなっても、この隙間Ｓの前側外部に位置して、その隙間Ｓを覆って塞ぐように構成されている。
【００６１】
次に、このような実施形態３のペダル装置の作用について説明する。
まず、ペダル本体２が踏み込み操作されていない通常の状態では、図１７に示すように、ペダル本体２がばね部材１１のばね力によって押し上げられていることにより、ペダル本体２がシャーシ本体部５のペダル支持部８の回転軸１６を中心に時計回りに回転し、このペダル本体２の上面が、シャーシ本体部５上に設けられた位置規制部１４の上限ストッパ部１５に下側から当接して、ペダル本体２が上限位置に規制されている。
【００６２】
この状態では、図１７に示すように、ペダル本体２がほぼ水平な状態になり、ペダル本体２の先端部２ａがペダルケース１の延出部６の先端部に設けられた下限ストッパ部７の上方に離れている。このときには、カバーケース４の開口部１３の上部とペダル本体２との上面との間に生じる隙間Ｓが最も狭くなっている。このため、第１異物挿入防止部３１は、その平板状の挿入防止部３１ｂがペダル本体２のスリット状の挿入孔１８ａ内に最も深く挿入し、第２異物挿入防止部２５は、カバーケース４の開口部１３の前側外部に位置して、その開口部１３の上側に突出した状態で配置される。
【００６３】
このような状態で、カバーケース４の外部に位置するペダル本体２の先端部２ａがばね部材１１のばね力に抗して踏み込まれると、図１８に示すように、ペダル本体２がシャーシ本体部５のペダル支持部８の回転軸１６を中心に反時計回りに回転し、ペダル本体２の先端部２ａが下がる。これに伴って、カバーケース４の開口部１３の上部とペダル本体２との上面との間に生じる隙間Ｓが広くなる。
【００６４】
このため、第１異物挿入防止部３１は、その平板状の挿入防止部３１ｂがペダル本体２のスリット状の挿入孔１８ａ内を上方に向けて相対的に移動し、カバーケース４の開口部１３の上部とペダル本体２との上面との間に生じた隙間Ｓに配置される。また、第２異物挿入防止部３２は、カバーケース４の開口部１３の上部とペダル本体２との上面との間に生じる隙間Ｓが広くなっても、この隙間Ｓの前側外部に位置して、その隙間Ｓを覆って塞ぐ。
【００６５】
このときには、ペダル本体２の先端部２ａを踏み込んでいる足が、カバーケース４の開口部１３の上部とペダル本体２との上面との間に生じる隙間Ｓに向けて移動しても、その足の指先が第２異物挿入防止部３２に当接することにより、カバーケース４の開口部１３の上部とペダル本体２との上面との間に生じた隙間Ｓに足の指先が挿入するのを防ぐことができる。
【００６６】
このとき、踏み込んだ足の靴下が誤って第２異物挿入防止部３２を乗り越えても、この乗り越えた靴下が第１異物挿入防止部３１の挿入防止部３１ｂに当接することにより、カバーケース４の開口部１３の上部とペダル本体２との上面との間に生じた隙間Ｓに靴下が巻き込まれるのを防ぐことができる。このため、ペダル本体２がばね部材１１のばね力によって押し上げられて初期位置に戻る際に、踏み込んだ足の指先およびその足の靴下がカバーケース４の開口部１３の上部とペダル本体２との上面との間に生じた隙間Ｓに挟まれることがない。
【００６７】
このように、この実施形態３のペダル装置によれば、ペダルケース１とペダル本体２との間に位置するペダルケース１の箇所に対応して設けられ、ペダル本体２に設けられた挿入孔１８ａにペダル本体２の上下動作に応じて相対的に移動可能に挿入する第１異物挿入防止部３１と、ペダルケース１とペダル本体２との間に対応するペダルケース１の外部に位置する箇所のペダル本体２上に起立した状態で設けられた第２異物挿入防止部３２とを備えているので、踏み込んだ足の指先やその足の靴下などの異物がペダルケース１とペダル本体２との間に生じた隙間Ｓに挿入するのを確実に防ぐことができる。
【００６８】
すなわち、この実施形態３のペダル装置では、ペダル本体２の先端部２ａを足踏み操作する際に、ペダルケース１内から外部に向けてペダル本体２が突出する箇所で、ペダルケース１とペダル本体２との間に隙間Ｓが生じていても、第２異物挿入防止部３２によって足の指先などの異物がペダルケース１とペダル本体２との間に生じた隙間Ｓに挿入するのを確実に防ぐことができる。
【００６９】
また、このときに、踏み込んだ足の靴下が誤って第２異物挿入防止部３２を乗り越えても、この乗り越えた靴下が第１異物挿入防止部３１の挿入防止部３１ｂに当接することにより、カバーケース４の開口部１３の上部とペダル本体２との上面との間に生じた隙間Ｓに靴下が巻き込まれるのを防ぐことができ、より一層、安全性の高いものを提供することができる。
【００７０】
なお、上述した実施形態３では、第１異物挿入防止部３１が平板状の取付部３１ａと、この平板状の取付部３１ａの先端部を下側に向けて折り曲げられた平板状の挿入防止部３１ｂとを備え、取付部３１ａを位置規制部１４に取り付けた構成である場合について述べたが、これに限らず、図７および図８に示した第１変形例のように、棒状部材を折り曲げた構成であっても良く、また図９および図１０に示した第２変形例のように、ペダルケース１とペダル本体２との間に生じる隙間Ｓに対応する箇所のペダルケース１に直接、起立させた状態で取り付けた構成であっても良い。
【００７１】
また、上述した実施形態３では、平板状の第２異物挿入防止部３２をペダル本体２と別に製作してペダル本体２上に取り付けた構成である場合について述べたが、これに限らず、図１５（ａ）および図１５（ｂ）に示した第３変形例のように、ペダル本体２の上面の一部を切り起こすことにより、第２異物挿入防止部をペダル本体２に一体に形成した構成であっても良い。
【００７２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７３】
（付記）
請求項１に記載の発明は、ペダルケース内から外部にペダル本体の一端部が突出した状態で、前記ペダルケース内に前記ペダル本体の他端部が上下方向に回転可能に取り付けられたペダル装置において、
前記ペダルケース内から外部に向けて前記ペダル本体が突出する箇所で、且つ前記ペダル本体の踏み込み操作時に前記ペダルケースと前記ペダル本体との間に生じる隙間に対応する箇所に、前記ペダル本体の踏み込み操作時における異物の挿入を防ぐための異物挿入防止部を設けたことを特徴とするペダル装置である。
【００７４】
請求項２に記載の発明は、請求項１に記載のペダル装置において、前記異物挿入防止部は、前記ペダルケースと前記ペダル本体との間に位置する前記ペダルケースの箇所に対応して設けられ、前記ペダル本体に設けられた挿入孔に前記ペダル本体の上下動作に応じて相対的に移動可能に挿入していることを特徴とするペダル装置である。
【００７５】
請求項３に記載の発明は、請求項２に記載のペダル装置において、前記異物挿入防止部は、前記ペダルケースに設けられて前記ペダル本体の上限位置を規制するための位置規制部に取り付けられていることを特徴とするペダル装置である。
【００７６】
請求項４に記載の発明は、請求項１に記載のペダル装置において、前記異物挿入防止部は、前記ペダルケースと前記ペダル本体との間に対応する前記ペダルケースの外部に位置する箇所の前記ペダル本体上に起立した状態で設けられていることを特徴とするペダル装置である。
【００７７】
請求項５に記載の発明は、請求項１に記載のペダル装置において、前記異物挿入防止部は、前記ペダルケースと前記ペダル本体との間に位置する前記ペダルケースの箇所に対応して設けられ、前記ペダル本体に設けられた挿入孔に前記ペダル本体の上下動作に応じて相対的に移動可能に挿入している第１異物挿入防止部と、前記ペダルケースと前記ペダル本体との間に対応する前記ペダルケースの外部に位置する箇所の前記ペダル本体上に起立した状態で設けられた第２異物挿入防止部と、を備えていることを特徴とするペダル装置である。
【符号の説明】
【００７８】
１  ペダルケース
２  ペダル本体
２ａ  先端部
２ｂ  後端部
３  ペダルシャーシ
４  カバーケース
７  下限ストッパ部
８  ペダル支持部  
１１  ばね部材
１３  開口部
１４  位置規制部
１５  上限ストッパ部
１６  回転軸
１７、２０、２１、２５  異物挿入防止部
１７ａ、２０ａ  取付部
１７ｂ、２０ｂ  挿入防止部
１８ａ、１８ｂ  挿入孔
３１  第１異物挿入防止部
３２  第２異物挿入防止部
【図１】
2013011964.tif 000003
【図２】
2013011964.tif 000004
【図３】
2013011964.tif 000005
【図４】
2013011964.tif 000006
【図５】
2013011964.tif 000007
【図６】
2013011964.tif 000008
【図７】
2013011964.tif 000009
【図８】
2013011964.tif 000010
【図９】
2013011964.tif 000011
【図１０】
2013011964.tif 000012
【図１１】
2013011964.tif 000013
【図１２】
2013011964.tif 000014
【図１３】
2013011964.tif 000015
【図１４】
2013011964.tif 000016
【図１５】
2013011964.tif 000017
【図１６】
2013011964.tif 000018
【図１７】
2013011964.tif 000019
【図１８】
2013011964.tif 000020